(57)【要約】【課題】より快適に多くの情報を通知できるようにする。【解決手段】ディスプレイの正面より左側から見える左側画面Ｂとディスプレイの正面より右側から見える右側画面Ａとを異ならせることができる機能を有し、左側画面Ｂと右側画面Ａの表示内容が異なる場合、左側画面Ｂと右側画面Ａの少なくとも一方に、他方の画面に表示されている表示画面で提示される情報および他方の画面に対する操作内容の少なくとも１つを簡易表示させる（Ｓ１０２）。【選択図】図５
2010217824.tif 000002
【特許請求の範囲】
【請求項１】
ディスプレイの正面より左側から見える左側画面と前記ディスプレイの正面より右側から見える右側画面とを異ならせることができる機能を有する表示装置であって、
前記左側画面と前記右側画面の表示内容が異なる場合、前記左側画面と前記右側画面の少なくとも一方に、他方の画面に表示されている表示画面で提示される情報および他方の画面に対する操作内容の少なくとも１つを簡易表示させる表示制御手段を備えたことを特徴とする表示装置。
【請求項２】
ユーザ操作に従って前記左側画面と前記右側画面の各画面に簡易表示させる項目を記憶する記憶手段を備え、
前記表示制御手段は、前記記憶手段に記憶された前記各画面に簡易表示させる項目について簡易表示を行うことを特徴とする請求項１に記載の表示装置。
【発明の詳細な説明】
【技術分野】
【０００１】
本発明は、ディスプレイの正面より左側から見える左側画面とディスプレイの正面より右側から見える右側画面とを異ならせることができる機能を有する表示装置に関するものである。
【背景技術】
【０００２】
従来、一方の視野角から見ることができる第１の画像と他方の視野角からみることのできる第２の画像とを一つの画面に表示させる機能を有する車載表示システムにおいて、一方の視野角にいる者による操作入力があったことを判定した場合に、その操作入力の内容または結果を他方の視野角にいる者に発話して音声による通知を行うものがある（例えば、特許文献１参照）。
【先行技術文献】
【特許文献】
【０００３】
【特許文献１】特開２００７−２８３９６７号公報
【発明の概要】
【発明が解決しようとする課題】
【０００４】
しかしながら、上記特許文献１に記載された装置では、一方の視野角にいる者の操作入力の内容または結果が発話されるようになっており、他方の視野角にいる者が得られる情報は、反対側の視野角にいる者の操作入力の内容または結果に限られる。
【０００５】
また、上記特許文献１に記載された装置は、音声により通知を行う構成となっているため、周囲のノイズ等によって聞き取れないといった状況が生じたり、通知件数が多くなると頻繁に音声通知が実施されるなど、ユーザに煩わしさを感じさせてしまう場合がある。
【０００６】
本発明は上記点に鑑みたもので、より快適に多くの情報を通知できるようにすることを目的とする。
【課題を解決するための手段】
【０００７】
上記目的を達成するため、請求項１に記載の発明は、ディスプレイの正面より左側から見える左側画面とディスプレイの正面より右側から見える右側画面とを異ならせることができる機能を有する表示装置であって、左側画面と右側画面の表示内容が異なる場合、左側画面と右側画面の少なくとも一方に、他方の画面に表示されている表示画面で提示される情報および他方の画面に対する操作内容の少なくとも１つを簡易表示させる表示制御手段を備えたことを特徴としている。
【０００８】
このような構成によれば、左側画面と右側画面の表示内容が異なる場合、左側画面と右側画面の少なくとも一方に、他方の画面に表示されている表示画面で提示される情報および他方の画面に対する操作内容の少なくとも１つが簡易表示されるので、より快適に多くの情報を通知することができる。
【０００９】
また、請求項２に記載の発明は、ユーザ操作に従って左側画面と右側画面の各画面に簡易表示させる項目を記憶する記憶手段を備え、表示制御手段は、記憶手段に記憶された各画面に簡易表示させる項目について簡易表示を行うことを特徴としている。
【００１０】
このような構成によれば、ユーザ操作に従って記憶手段に記憶された各画面に簡易表示させる項目について簡易表示が行われる。すなわち、ユーザは画面に簡易表示させたい項目を自らの操作で設定することができる。
【図面の簡単な説明】
【００１１】
【図１】本発明の一実施形態に係る表示装置の構成を示す図である。
【図２】デュアルビューディスプレイ１４を上方向から見た模式図である。
【図３】簡易表示する項目の一覧を示す図である。
【図４】制御部の処理を示すフローチャートである。
【図５】右側画面と左側画面の表示例を示す図である。
【発明を実施するための形態】
【００１２】
本発明の一実施形態に係る表示装置の構成を図１に示す。本表示装置１は、カメラ１０、ナビゲーション装置１１、テレビチューナ１２、オーディオ装置１３、デュアルビューディスプレイ１４、スピーカ１５、入力装置１６、近接センサ１７および制御部１８を備えている。
【００１３】
カメラ１０は、車両後方、運転者の死角となる車両コーナーなど、車両周辺を撮影するためのものであり、撮影した画像を制御部１８へ送出する。
【００１４】
ナビゲーション装置１１は、ＧＰＳ受信機、車速センサ、ジャイロスコープ、地磁気センサ等から入力される現在位置を特定するための情報に基づいて現在位置を特定し、自車位置周辺の地図上に自車位置マークを重ねた地図画像を生成する地図画像生成機能や、ユーザ操作に応じて目的地を検索し、検索された施設の中から目的地を設定する目的地設定機能、出発地から目的地に至る最適な案内経路を探索する経路探索機能、案内経路に従って走行案内を行うナビゲーション機能、ＦＭ放送やビーコンを介して交通情報センタより提供される交通情報（渋滞情報、交通規制情報、気象情報など）を受信すると、受信した交通情報を案内する交通情報案内機能等を備えている。
【００１５】
また、本ナビゲーション装置１１は、外部と無線通信を行う通信モジュール（図示せず）を備え、この通信モジュール介して通信相手と通話する通話機能と、車両に搭載されたエアコンの各種操作を行うエアコン操作機能を備えている。
【００１６】
テレビチューナ１２は、アナログ、デジタルに対応したテレビ放送を受信するための装置であり、受信したチャンネルの映像信号および音声信号を制御部１８へ送出する。
【００１７】
オーディオ装置１３は、ＦＭ、ＡＭ、デジタルラジオ、衛星ラジオの各ラジオ放送に対応するラジオチューナと、ＣＤ、ＤＶＤ等のディスク型記憶媒体に記憶された楽曲や映画等を再生するプレイヤーとを備え、ユーザ操作により選択されたオーディオソースの映像信号および音声信号を制御部１８へ送出する。
【００１８】
デュアルビューディスプレイ１４は、ディスプレイの正面より左側から見える左側画面とディスプレイの正面より右側から見える右側画面を異ならせることが可能なディスプレイである。例えば、右側画面にはナビゲーション画面を表示させ、左側画面にはオーディオ画面を表示させるといったことが可能となっている。
【００１９】
図２に、デュアルビューディスプレイ１４を上方向から見た模式図を示す。この図に示すように、デュアルビューディスプレイ１４は、液晶パネル手前の前面パネル側に、垂直方向にスリットを形成した遮光バリア（視差バリア）を配置するとともに、液晶ディスプレイの水平方向に左側画面と左側画面をピクセル単位（例えば、１ピクセル）で交互に表示させる構成となっている。このような構成により、ディスプレイの正面より左側から見える左側画面とディスプレイの正面より右側から見える右側画面を異ならせるようになっている。
【００２０】
スピーカ１５は、制御部１８より入力される音声信号に応じた音声を出力する。
【００２１】
入力装置１６は、デュアルビューディスプレイ１４に表示された表示画面に対する操作入力を行うための装置である。入力装置１６は、デュアルビューディスプレイ１４の前面に重ねて配置されたタッチパネル、デュアルビューディスプレイ１４の周囲に配置されたメカニカルスイッチ等により構成され、ユーザのスイッチ操作に応じた信号を制御部１８へ出力する。
【００２２】
近接センサ１７は、接近する物体の方向および距離を検出するセンサである。本実施形態における近接センサ１７は、デュアルビューディスプレイ１４の上部中央等に配置され、デュアルビューディスプレイ１４を操作するユーザの手の方向およびユーザの手との距離を検出し、検出した情報を制御部１８へ出力する。
【００２３】
制御部１８は、デュアルビューディスプレイ１４に対する操作入力があった場合、近接センサ１７より入力される情報に基づいてデュアルビューディスプレイ１４の左側画面を見ているユーザによる操作入力であるか右側画面を見ているユーザによる操作入力であるかを認識することが可能となっている。
【００２４】
制御部１８は、ＣＰＵ、ＲＯＭ、ＲＡＭ、フラッシュメモリ、Ｉ／Ｏ等を備えたコンピュータとして構成されており、ＣＰＵはＲＯＭに記憶されたプログラムに従って各種処理を実施する。
【００２５】
制御部１８は、カメラ１０、ナビゲーション装置１１、テレビチューナ１２、オーディオ装置１３から入力される各信号に基づいてデュアルビューディスプレイ１４に表示させる表示画面（ナビゲーション画面、テレビ画面、オーディオ画面、電話画面、エアコン画面等）を生成し、この表示画面を表示するための映像信号をデュアルビューディスプレイ１４へ送出するとともに音声出力するための音声信号をスピーカ１５へ送出する。
【００２６】
本実施形態における制御部１８は、左側画面と右側画面の表示内容が異なる場合に、左側画面と右側画面の少なくとも一方に、他方の画面に表示されている表示画面で提示される情報および他方の画面に対する操作内容の少なくとも１つを簡易表示させる簡易表示処理を実施する。
【００２７】
図３に、本表示装置１において簡易表示可能な項目の一覧を示す。制御部１８は、ユーザ操作によりメニュー画面の表示が指示されると、デュアルビューディスプレイ１４にメニュー画面を表示させ、更に、ユーザにより簡易表示させる項目の設定画面の表示が指示されると、簡易表示させる項目の設定画面をデュアルビューディスプレイ１４に表示させる。そして、図３に示した簡易表示可能な項目の一覧の中からユーザ操作により選択された項目をフラッシュメモリに記憶させるようになっている。そして、このフラッシュメモリに記憶された項目について簡易表示を行うようになっている。
【００２８】
ナビゲーション画面では、案内地点までの距離、案内地点での右左折情報、目的地／経由地到着予想時刻、目的地／経由地までの所要時間、目的地／経由地までの距離、交差点名称、走行路線名称、交通情報、目的地設定操作（住所、施設、電話番号入力状態）の簡易表示が可能となっている。
【００２９】
また、テレビ画面では、アナログ放送を受信する場合とデジタル放送を受信する場合に対応して、チャンネル名、オートプリセット状態等の簡易表示が可能となっている。
【００３０】
また、オーディオ画面では、ＦＭ、ＡＭ、デジタルラジオ、衛星ラジオ、ＣＤ、ＤＶＤの各オーディオソースに対応して、図に示されている各項目の簡易表示が可能となっている。
【００３１】
また、電話画面では、着信番号、発信者番号、電話帳選択状態、通話状態および通話時間が簡易表示可能となっている。
【００３２】
また、エアコン画面では、エアコンＯＮ／ＯＦＦ状態、ブロア設定状態、設定温度、内外気状態の各項目の簡易表示が可能となっている。
【００３３】
図４に、制御部１８による簡易表示処理のフローチャートを示す。本表示装置１は、車両のイグニッションスイッチがオンすると動作状態となり、制御部１８は図３に示す処理を周期的に実施する。
【００３４】
まず、左側画面（画面Ｂ）と右側画面（画面Ａ）が同一か否かを判定する（Ｓ１００）。すなわち、左側画面に表示している表示画面と右側画面に表示している表示画面とが同一か否かを判定する。
【００３５】
ここで、左側画面に表示している表示画面と右側画面に表示している表示画面とが異なっている場合、Ｓ１００の判定はＮＯとなり、左側画面に右側画面に表示されている情報を簡易表示させ、左側画面に右側画面に表示されている情報を簡易表示させる（Ｓ１０２）。すなわち、他方の画面に表示されている表示画面で提示される情報および他方の画面に対する操作内容の少なくとも１つを、文字、数字、記号、アイコン等を用いて簡易表示する。具体的には、ユーザ操作に従ってフラッシュメモリに記憶された各画面に簡易表示させる項目を参照するとともに、各画面に表示されている表示画面を特定し、各画面に表示されている表画面に対して表示設定されている項目の文字やアイコン等を表示画面の一部に重ねて表示する。
【００３６】
図５に、右側画面Ａにナビゲーション画面が表示され、左側画面ＢにＣＤ再生画面が表示されている場合の各画面の表示例を示す。図に示すように、右側画面Ａの上部には、反対側の左側画面Ｂに表示されているＣＤ再生画面の「アーティスト名」が簡易表示され、左側画面Ｂの上部には、反対側の右側画面Ａに表示されているナビゲーション画面の「１００メートル先に右折交差点があることを示す案内情報」と「目的地までの所要時間（１時間３０分）」が簡易表示されている。本実施形態では、有効な情報のみを簡易表示するようになっている。すなわち、表示する必要のある情報を抽出し、各情報を必要とされるタイミングで、予め定められた期間、簡易表示させる。例えば、「１００メートル先に右折交差点があることを示す案内情報」は、右折交差点の手前１００メートルに位置した時点で表示され、予め定められた期間（右折交差点を通過するまでの期間）が経過すると非表示となる。また、目的地までの所要時間は、所要時間の部分を更新しながら常時表示する。
【００３７】
また、デュアルビューディスプレイ１４に対する操作入力があった場合、近接センサ１７より入力される情報に基づいてデュアルビューディスプレイ１４の正面より右側に位置するユーザによる操作入力であるか正面より左側に位置するユーザによる操作入力であるかを認識し、他方の画面に操作内容を表示させる。例えば、あるユーザにより電話番号の入力操作が行われると、入力された電話番号が他方の画面に表示される。
【００３８】
また、左側画面に表示している表示画面と右側画面に表示している表示画面とが同一の場合、Ｓ１００の判定はＹＥＳとなり、簡易表示を実施することなく（Ｓ１０４）、本処理を終了する。
【００３９】
上記した構成によれば、左側画面と右側画面の表示内容が異なる場合、左側画面と右側画面の少なくとも一方に、他方の画面に表示されている表示画面で提示される情報および他方の画面に対する操作内容の少なくとも１つが簡易表示されるので、より快適に多くの情報を通知することができる。なお、他方の画面に表示されている表示画面で提示される情報には、他方の画面に表示されている表示画面で提示されている情報だけでなく、他方の画面に表示されている表示画面で提示可能な情報も含まれる。例えば、他方の画面にナビゲーション画面が表示され、このナビゲーション画面に「案内地点までの距離」が表示されていなくても、反対側の画面に「案内地点までの距離」を簡易表示することができる。
【００４０】
また、ユーザ操作に従ってフラッシュメモリに記憶された各画面に簡易表示させる項目について簡易表示が行われる。すなわち、ユーザは画面に簡易表示させたい項目を自らの操作で設定することができる。
【００４１】
なお、本発明は上記実施形態に限定されるものではなく、本発明の趣旨に基づいて種々なる形態で実施することができる。
【００４２】
例えば、上記実施形態では、他方の画面に表示された表示画面に提示された情報等を簡易表示する構成を示したが、更に、音声、注意喚起音等による通知を行うようにしてもよい。
【００４３】
また、上記実施形態では、左側画面と右側画面について、互いの画面に他方の画面に表示されている表示画面で提示される情報および他方の画面に対する操作内容を簡易表示させたたが、左側画面にのみ反対側の情報を簡易表示させたり、右側画面にのみ反対側の情報を簡易表示させるようにしてもよい。
【００４４】
また、上記実施形態では、ユーザ操作に従って各画面に簡易表示させる項目をフラッシュメモリに記憶させておき、このフラッシュメモリに記憶された各画面に簡易表示させる項目について簡易表示を行う構成を示したが、各画面に簡易表示させる項目を記憶する記憶媒体としては、フラッシュメモリ以外の記憶媒体（例えば、ハードディスクドライブ、ＥＥＰＲＯＭ等）を用いてもよい。
【００４５】
また、上記実施形態では、図３に示した各項目の簡易表示が可能となっているものとして説明したが、この図に示した項目に限定されるものではなく、他の項目について簡易表示するようにしてもよい。また、車載表示装置のディスプレイは表示面積が比較的小さく、簡易表示する項目が多くなるとかえって視認性が低下することから、テロップを流すように各項目を簡易表示するようにしてもよい。
【００４６】
また、上記実施形態では、本表示装置１を車両に搭載したものとして説明したが、車載に搭載されるものに限定されるものではない。
【００４７】
なお、上記実施形態における構成と特許請求の範囲の構成との対応関係について説明すると、Ｓ１０２が表示制御手段に相当し、制御部１８のフラッシュメモリが記憶手段に相当する。
【符号の説明】
【００４８】
１    表示装置
１０  カメラ
１１  ナビゲーション装置
１２  テレビチューナ
１３  ＤＶＤドライブ
１４  デュアルビューディスプレイ
１５  スピーカ
１６  入力装置
１７  近接センサ
１８  制御部
【図１】
2010217824.tif 000003
【図２】
2010217824.tif 000004
【図３】
2010217824.tif 000005
【図４】
2010217824.tif 000006
【図５】
2010217824.tif 000007